(57)【要約】【課題】ケースに挿入されたカードの前後の向きの正誤を使用者が判別しやすいカード用コネクタ装置を提供すること。【解決手段】カード１が挿入されて装填されるケース７と、カード１の挿入軌道上を含むケース７内の空間をスライド可能なスライド部材１１と、カード１の排出方向にスライド部材１１を付勢する付勢部材とを備えていて、ケース７の金属製カバー１０に片持ちバネ１７が形成されている。初期位置にあるスライド部材１１に片持ちバネ１７が引掛けられている。スライド部材１１に形成された傾斜面は、ケース７に挿入されたカード１の姿勢が正しければ、カード１が片持ちバネ１７を押し退けて挿入方向へ移動するのを許容し、前後逆向きの誤った姿勢ならば、カード１が片持ちバネ１７の位置に達しないようカード１の移動を阻止する。【選択図】図９
2008204703.tif 000002
【特許請求の範囲】
【請求項１】
カードが挿入されて装填されるケースと、
前記カードの挿入軌道上を含む前記ケース内の空間をスライド可能なスライド部材と、
前記カードの挿入方向とは逆方向である排出方向に前記スライド部材を付勢する付勢部材と、
前記ケースに前記カードが装填された状態において前記カードが占める前記ケース内の装填領域から外れた退避位置に、前記スライド部材を停止させる停止手段と、
この停止手段による前記スライド部材の停止状態を解除する停止解除手段と、
前記挿入軌道上の初期位置から前記挿入方向への前記スライド部材の移動を阻止する移動阻止手段と、
前記ケースに挿入された前記カードの姿勢が正しいかどうかを前記カードの前端部および後端部のそれぞれの形状の違いから判定する判定手段と、
前記ケースに挿入された前記カードの姿勢が正しいと前記判定手段が判定したときに、前記移動阻止手段による前記スライド部材の移動の阻止を解除する移動許可手段とを備えたことを特徴とするカード用コネクタ装置。
【請求項２】
請求項１記載の発明において、
前記移動阻止手段と前記移動許可手段が前記ケースに設けられた片持ちバネからなり、この片持ちバネが前記挿入方向に延び、前記ケースの外側から内側に向かう方向に傾斜して前記ケース内に突出し、前記初期位置に位置した前記スライド部材に引っ掛かる形状に形成され、
前記判定手段が前記初期位置において前記カードの前端部の前記挿入方向への移動を許容し、かつ、前記カードの後端部の前記挿入方向への移動を阻止する形状に形成された前記スライド部材からなることを特徴とするカード用コネクタ装置。
【請求項３】
請求項２に記載の発明において、
前記片持ちバネが、前記ケースの外側から内側に向かう方向に突起部した突起部を有することを特徴とするカード用コネクタ装置。
【発明の詳細な説明】
【技術分野】
【０００１】
本発明は、挿入方向における前後の向きを誤った状態でのケースへのカードの挿入を防止することができるカード用コネクタ装置に関する。
【背景技術】
【０００２】
この種の従来のカード用コネクタ装置について説明する。
【０００３】
従来のカード用コネクタ装置に対応するカードには、その前部の右側部に面取り部を有し、後部には面取り部を有さないものがある。カードの前部の一方の面には、複数の端子がカードの幅方向に並んでいる（以下、これらの端子を「カード端子）という）。これらの複数のカード端子のそれぞれは、カードの一方の面に形成された複数の溝のそれぞれの底部に設けられている。
【０００４】
従来のカード用コネクタ装置は、カードが挿入されて装填されるケースを備えている。このケース内には、複数のカード端子に対応する複数のコンタクト端子が設けられている。
【０００５】
面取り部の近傍に設けられたカード端子に対応するコンタクト端子の両側方には、そのコンタクト端子を挟んで対向し、コンタクト端子に沿って延びた１対の凸部が形成されている。
【０００６】
このように構成された従来のカード用コネクタ装置では、カードが正しい姿勢でケースに挿入されると、面取り部の近傍におけるカード端子が設けられた溝に１対の凸部が挿入されながら、カードが挿入方向に移動する。これに対し、カードが前後逆向きの姿勢でケースに挿入されると、１対の凸部がカードの後端に当接し、カードがそれ以上ケース挿入方向に移動するのを阻止する。
【０００７】
このように１対の凸部が前後逆向きの姿勢のカードの移動を阻止するから、ケースへのカードの挿入後、ケースから突出したカードの部分の挿入方向における長さ寸法は、カードが正しく挿入された状態よりも前後逆向きで挿入された状態の方が、カード端子が設けられた溝の長さ寸法分だけ長くなる。使用者は、その長さ寸法の違いから、カードの前後の向きの正誤を判断することができる。
【特許文献１】特許第３３８５２５２号公報
【発明の開示】
【発明が解決しようとする課題】
【０００８】
前述の従来のカード用コネクタ装置では、ケースから突出したカードの部分の挿入方向における長さ寸法の違いから、ケースに挿入されたカードの前後の向きの正誤を判別できるが、その長さ寸法の違いは溝の長さ寸法分だけであり、従来のカード用コネクタ装置を使い慣れていない者にはその長さ寸法の違いが分かりにくいという問題がある。
【０００９】
本発明は、前述の実状を考慮してなされたものであり、その目的は、ケースに挿入されたカードの前後の向きの正誤を使用者が判別しやすいカード用コネクタ装置を提供することにある。
【課題を解決するための手段】
【００１０】
〔１〕  前述の目的を達成するために、本発明は、カードが挿入されて装填されるケースと、前記カードの挿入軌道上を含む前記ケース内の空間をスライド可能なスライド部材と、前記カードの挿入方向とは逆方向である排出方向に前記スライド部材を付勢する付勢部材と、前記ケースに前記カードが装填された状態において前記カードが占める前記ケース内の装填領域から外れた退避位置に、前記スライド部材を停止させる停止手段と、この停止手段による前記スライド部材の停止状態を解除する停止解除手段と、前記挿入軌道上の初期位置から前記挿入方向への前記スライド部材の移動を阻止する移動阻止手段と、前記ケースに挿入された前記カードの姿勢が正しいかどうかを前記カードの前端部および後端部のそれぞれの形状の違いから判定する判定手段と、前記ケースに挿入された前記カードの姿勢が正しいと前記判定手段が判定したときに、前記移動阻止手段による前記スライド部材の移動の阻止を解除する移動許可手段とを備えたことを特徴とする。
【００１１】
このように構成された本発明は、次のように動作する。
【００１２】
＜カードが正しい姿勢でケースに挿入された場合＞
初期位置から挿入方向へのスライド部材の移動を移動阻止手段が阻止している状態で、カードが正しい姿勢でケースに挿入されると、ケースに挿入されたカードの前端部の形状から「ケースに挿入されたカードの姿勢が正しい」と判定手段が判定し、これに伴って移動許可手段が移動阻止手段によるスライド部材の移動の阻止を解除する。そして、付勢部材からスライド部材に与えられる付勢力よりも大きな力でカードが挿入方向に押圧されると、カードはスライド部材を挿入方向に押し動かしながら自身も同方向に移動し、カードがケースに装填される。
【００１３】
カードがケースに装填された状態では、停止手段が退避位置にスライド部材を停止させているので、スライド部材が付勢部材から与えられる付勢力により排出方向に移動するということはなく、カードがケースに装填された状態に保持される。この状態で停止解除手段が作動すると、スライド部材が付勢部材から与えられる付勢力によりカードを排出方向に押し動かしながら自身も同方向に移動する。つまり、カードがスライド部材によりケースから押し出される。
【００１４】
＜カードが前後逆向きの姿勢でケースに挿入された場合＞
初期位置から挿入方向へのスライド部材の移動を移動阻止手段が阻止している状態で、カードが前後逆向きの姿勢でケースに挿入されると、ケースに挿入されたカードの後端部の形状から「ケースに挿入されたカードの姿勢が正しくない」と判定手段が判定する。このため、移動許可手段は移動阻止手段によるスライド部材の移動の阻止を解除しない。したがって、初期位置に位置するスライド部材によってカードのケースへの挿入の進行が妨げられる。
【００１５】
これらのことから、本発明によれば、ケースから突出するカードの部分の挿入方向における長さ寸法の違いに加えて、付勢部材の付勢力に抗してケース内へのカードの押込みを行ったかどうかによっても、カードの前後の向きの正誤を判断することができる。したがって、ケースに挿入されたカードの前後の向きの正誤を判別しやすくすることができる。
【００１６】
〔２〕  本発明は、「〔１〕」に記載の発明において、前記移動阻止手段と前記移動許可手段が前記ケースに設けられた片持ちバネからなり、この片持ちバネが前記挿入方向に延び、前記ケースの外側から内側に向かう方向に傾斜して前記ケース内に突出し、前記初期位置に位置した前記スライド部材に引っ掛かる形状に形成され、前記判定手段が前記初期位置において前記カードの前端部の前記挿入方向への移動を許容し、かつ、前記カードの後端部の前記挿入方向への移動を阻止する形状に形成された前記スライド部材からなることを特徴とするものであってもよい。
【００１７】
このように構成された本発明によれば、構造が簡単で占有スペースを小さくすませることが可能な片持ちバネにより移動阻止手段と移動許可手段が実現されているから、また、スライド部材により判定手段が実現されているから、移動阻止手段、移動許可手段および判定手段を備えたことに伴うカード用コネクタ装置の大型化を抑えることができる。
【００１８】
〔３〕  本発明は、「〔２〕」に記載の発明において、前記片持ちバネが、前記ケースの外側から内側に向かう方向に突起部した突起部を有することを特徴とするものであってもよい。
【００１９】
このように構成された本発明では、カードが正しい姿勢でケースに挿入されたときに、カードが片持ちバネの突起部を押圧することによって、片持ちバネを押し退けることになる。片持ちバネがカードの前端部で押し退けられてスライド部材から離反したときの、片持ちバネとスライド部材の間隔は、片持ちバネが平坦な場合よりも大きい。これにより、片持ちバネによるスライド部材の係止の解除が、カードがスライド部材に当接する前に確実に解除されるようにすることができる。
【発明の効果】
【００２０】
本発明は、カードが前後逆向きの姿勢でカードがケースに挿入されたときに、移動阻止手段によるスライド部材の移動の阻止を判定手段および移動許可手段の協働によって継続させることで、初期位置に位置するスライド部材によってカードのケースへの挿入の進行を妨げている。これにより、ケースから突出するカードの部分の挿入方向における長さ寸法の違いに加えて、付勢部材の付勢力に抗してケース内へのカードの押込みを行ったかどうかによっても、カードの前後の向きの正誤を判断することができ、この結果、ケースに挿入されたカードの前後の向きの正誤を判別しやすくすることができる。
【発明を実施するための最良の形態】
【００２１】
本発明のカード用コネクタ装置の一実施形態について図１〜図１１を用いて説明する。
【００２２】
図１は本発明のカード用コネクタ装置の一実施形態の上面図である。図２は本発明のカード用コネクタ装置の一実施形態に対応するカードを示す２面図であり、（ａ）が上面図、（ｂ）が右側面図である。図３は図１に示したケースに図２に示したカードを挿入している途中の状態の一例の上面図である。図４は図１に示したケースに図２に示したカードを挿入している途中の状態（図３とは異なる状態）を、金属製カバーを取り除いて示す上面図である。図５はケースへのカードの装填が完了した状態を示す上面図である。図６は図１に示す実施形態に備えられた片持ちバネの拡大上面図である。図７は図６のVII−VII断面図である。図８−１は片持ちバネによるスライド部材の移動の阻止が解除される直前の状態を示す図７に対応する断面図である。図８−２は片持ちバネによるスライド部材の移動の阻止が解除された状態を示す図７に対応する断面図である。図９は図１に示したケースに図２に示したカードが前後逆向きの姿勢で挿入された状態であって、カードのそれ以上の挿入が阻止された状態を示す上面図である。図１０は図９に示した状態でのカードとスライド部材と片持ちバネとの位置関係を示す拡大上面図である。図１１は図１０のXI−XI断面図である。
【００２３】
本実施形態は、図１に示すカード用コネクタ装置６であり、例えば図２（ａ）に示すカード１（ＨＳ−ＭＭＣ）に対応するように構成されている。カード１の上面視形状は略長方形である。カード１の前端部２の一方の側部（図１では右上部）には、面取り部３が設けられている。図２（ｂ）に示すカード１の裏面５ａの前部には、カード１の幅方向（図２（ａ）の左右方向）に並んだ複数の溝５ａ（１つだけ図示してある）が形成されていて、図示しない複数のカード端子のそれぞれがそれらの溝５ａのそれぞれの底部に設けられている。
【００２４】
図１に示すように、カード用コネクタ装置６はケース７を備えている。図３，４に示すように、カード１は、面取り部３が形成された前端部側からケース７に挿入される。
【００２５】
ケース７は、複数のカード端子に対応する複数例えば１５本のコンタクト端子９（図４に示す）がインサート成形により固定されたケース本体８と、このケース本体８を覆った状態でケース本体８に固定された金属製カバー１０（図１に示す）とから構成されている。これらケース本体８と金属製カバー１０の間に、カード１が挿入される空間が形成されている。
【００２６】
図４，５に示すように、本実施形態はさらに、カード１の挿入軌道上を含むケース７内の空間をスライド可能なスライド部材１１と、このスライド部材１１をカード１の挿入方向とは逆方向である排出方向に付勢する付勢部材１３、例えばコイルスプリングとを備えている。
【００２７】
スライド部材１１は、ケース本体８の右側部に設けられていて、カード１の挿入軌道上に突出した突出部１２を有する。スライド部材１１の挿入方向への移動の限界位置は、ケース７の前端部を形成するケース本体８の前壁部８ａにより規定されている。つまり、スライド部材１１の突出部１２の前面１２ａが前壁部８ａに当接することで、スライド部材１１の挿入方向への移動が阻止されるようになっている。
【００２８】
本実施形態はさらに、ケース７にカード１が装填された状態においてカード１が占めるケース７内の装填領域から外れた退避位置（図５に示す位置）に、スライド部材１１を停止させる停止手段と、この停止手段によるスライド部材１１の停止状態を解除する停止解除手段とを備えている。これら停止手段と停止解除手段は、図４，図５に示すピン１４、ハート型カム溝１５およびピン押さえ１６とを含む１つの機構で実現されている。
【００２９】
ピン１４は、図４，図５に示すように、両端部が略直角に屈曲した細長い形状をしていて、ケース本体８の右側部に沿って配置されている。ピン１４の一端部はケース本体８の右側部の後端部に回転可能に支持されている。これにより、ピン１４は一端部、すなわち後端部を中心に、ケース本体８の幅方向（図４の左右方向）に回動可能になっている。
【００３０】
ハート型カム溝１５は、図４，図５に示すように、スライド部材１１に設けられている。このハート型カム溝１５にはピン１４の他端部、すなわち前端部が摺動可能に嵌っている。また、このハート型カム溝１５の底面には、スライド部材１１とともにハート型カム溝１５が移動したときの、ハート型カム溝１５に対するピン１４の移動方向を規定する複数の段差（図示しない）およびこれらの段差（図示しない）のそれぞれの間に介在する傾斜面が形成されている。
【００３１】
ピン押さえ１６は、図２に示すように、ピン１４と重なる金属製カバー１０の右側部に形成された片持ちバネからなり、金属製カバー１０の前から後に向かう方向に延びている。このピン押さえ１６は、ピン１４をハート型カム溝１５の底面に押し付けている。
【００３２】
特に本実施形態は、カード１の挿入軌道上の初期位置（図４に示す位置）から挿入方向へのスライド部材１１の移動を阻止する移動阻止手段を備えている。さらに、ケース７に挿入されたカード１の姿勢が正しいかどうかをカード１の前端部２および後端部４のそれぞれの形状の違いから判定する判定手段を備えている。さらに、ケース７に挿入されたカード１の姿勢が正しいと判定手段が判定したときに、移動阻止手段によるスライド部材１１の移動の阻止を解除する移動許可手段を備えている。
【００３３】
移動阻止手段と移動許可手段はケース７に設けられた片持ちバネ１７からなる。この片持ちバネ１７は、例えば金属製カバー１０と一体に形成されている。この片持ちバネ１７は、挿入方向に延び、ケース７の外側から内側に向かう方向に傾斜してケース７内に突出し、初期位置に位置したスライド部材１１に引っ掛かる形状に形成されている。片持ちバネ１７の形状は、例えば、スライド部材１１の突出部１２に形成された突起部１２ｂに引っ掛かる孔１７ａを有する形状である。
【００３４】
片持ちバネ１７には、ケース７の外側から内側に向かう方向に突起した突起部１７ｂが設けられている。この突起部１７ｂは、例えば片持ちバネ１７の一部からなる。
【００３５】
判定手段はスライド部材１１からなる。このスライド部材１１は、初期位置においてカード１の前端部２の挿入方向への移動を許容し、かつ、カード１の後端部４の挿入方向への移動を阻止する形状に形成されている。つまり、スライド部材１１の突出部１２に傾斜面１２ｃが形成されている。この傾斜面１２ｃは、挿入軌道上からケース本体８の右側部に向かう方向において、ケース７の右側部に近い傾斜面１２ｃの部分ほどケース７の後部寄りに位置するように傾斜している。傾斜面１２ｃの傾斜角度は、ケース７に挿入されたカード１の面取り部３と平行になるように設定されている（図４参照）。
【００３６】
このように構成された本実施形態は次のように動作する。
【００３７】
＜カード１が正しい姿勢でケース７に挿入された場合＞
カード１が挿入されていない状態では、初期位置に位置するスライド部材１１の突起部１２ｂが片持ちバネ１７の孔１７ａの縁に引っ掛かるため、初期位置から挿入方向へのスライド部材１１の移動が阻止される。カード１が正しい姿勢でケース７に挿入されると、カード１の面取り部３とスライド部材１１の傾斜面１２ｃとが平行なので、図８−１，図８−２に示すように、カード１はその前端部２で片持ちバネ１７の突起部１７ｂを押圧することによって片持ちバネ１７を押し退けながら挿入方向に移動し、これにより、スライド部材１１の移動の阻止が解除される。
【００３８】
その後、カード１がさらに挿入方向に移動すると、カード１の前端部２がスライド部材１１の突出部１２に当接する。このとき、付勢部材１３からスライド部材１１に与えられる付勢力よりも大きい力でカード１が挿入方向に押圧されると、カード１は付勢部材１３の付勢力に抗してスライド部材１１を挿入方向に押し動かしながら自身も同方向に移動する。
【００３９】
そして、スライド部材１１の突出部１２の前面１２ａがケース本体８の前壁部８ａに当接すると、スライド部材１１の挿入方向への移動が阻止され、これに伴ってカード１の挿入方向への移動も阻止される。このとき、カード１から挿入方向の押圧力が取り除かれると、スライド部材１１が付勢部材１３から与えられる付勢力により押し戻され、これに伴ってカード１がスライド部材１１により押し戻される。そして、スライド部材１１が退避位置まで戻る。
【００４０】
このようにしてカード１およびスライド部材１１がケース内を移動している間、ハート型カム溝１５もスライド部材１１とともに移動しているから、ハート型カム溝１５に対するピン１４の前端部の位置はスライド部材１１の位置に応じて変化している。前述のようにしてスライド部材１１が退避位置に戻ったとき、スライド部材１１の排出方向への移動がハート型カム溝１５とピン１４の係合によって阻止され、スライド部材１１が停止する。これに伴い、カード１が押し戻されなくなり、図５に示すようにケース７へのカード１の装填が完了する。
【００４１】
ケース７へのカード１の装填が完了した状態では、カード１の後端部４はケース７から突出している。その後端部４が付勢部材１３の付勢力よりも大きな力で挿入方向に押圧されると、スライド部材１１がカード１により挿入方向に押し動かされる。このとき、スライド部材１１の排出方向への移動を阻止するハート型カム溝１５とピン１４の係合状態が解かれて、スライド部材１１が付勢部材１３から与えられる付勢力によって、カード１を排出方向へ押し動かしながら自身も同方向へ移動する。つまり、カード１がスライド部材１１によりケース７から押し出される。
【００４２】
＜カード１が前後逆向きでケース７に挿入された場合＞
前述したように、カード１が挿入されていない状態では、初期位置に位置するスライド部材１１の突起部１２ｂが片持ちバネ１７の孔１７ａの縁に引っ掛かるため、初期位置から挿入方向へのスライド部材１１の移動が阻止される。図９に示すようにカード１が前後逆向きの姿勢でケース７に挿入されると、図１０に示すようにカード１の後端部４の角４ａがスライド部材１１の傾斜面１２ｃに当接し、カード１のそれ以上の挿入方向への移動が阻止される。これにより、付勢部材１３の付勢力よりも大きな力でカード１が挿入方向に押圧されても、カード１の後端部４が片持ちバネ１７を押し退ける位置まで移動することはなく、したがって、図１１に示すようにスライド部材１１の移動の阻止が解除されない。つまり、初期位置に位置するスライド部材１１によって、カード１のケース７への挿入の進行が妨げられる。
【００４３】
本実施形態によれば次の効果を得られる。
【００４４】
本実施形態は、カード１が前後逆向きの姿勢でケース７に挿入されたときに、片持ちバネ１７によるスライド部材１１の移動の阻止を、スライド部材１１の傾斜面１２ｃがカード１の後端部４の移動を阻止することにより継続させることで、カード１のケース７への挿入の進行を妨げている。これにより、ケース７から突出するカード１の部分の挿入方向における長さ寸法の違いに加えて、付勢部材１３の付勢力に抗してケース７内へのカード１の押込みを行ったかどうかによっても、カード１の前後の向きの正誤を判断することができ、この結果、ケース７に挿入されたカード１の前後の向きの正誤を判別しやすくすることができる。また、同様の理由で、カード１の裏表の向きの正誤も判別しやすくすることができる。
【００４５】
カードにはカード１（ＨＳ−ＭＭＣ）の前側半分とほぼ同寸法の、ＲＳ−ＭＭＣという小型のカードがある。この小型のカードを使用する場合、カード１の後側半分とほぼ同寸法の補助部材をその小型のカードの後端部に取付けて、ＨＳ−ＭＭＣ用コネクタ装置に装填することが一般的に行われる。本実施形態によれば、そのような小型のカードの挿入時にも、その小型のカードの姿勢の正誤を判別しやすい。
【００４６】
前記補助部材には金属製のものがあり、これがカード用コネクタ装置内の複数のコンタクト端子に同時接触した場合、そのカード用コネクタ装置にショートによる重大な故障が発生することになる。本実施形態によれば、初期位置にあるスライド部材１１で補助部材の誤挿入を阻止するから、そのような重大な故障を防止することができる。
【００４７】
本実施形態によれば、構造が簡単で占有スペースを小さくすませることが可能な片持ちバネ１７により移動阻止手段と移動許可手段が実現されているから、また、スライド部材１１の形状により判定手段が実現されているから、移動阻止手段、移動許可手段および判定手段を備えたことに伴うカード用コネクタ装置の大型化を抑えることができる。
【００４８】
本実施形態によれば、片持ちバネ１７が突起部１７ｂを有するから、片持ちバネ１７がカード１の前端部２により押し退けられてスライド部材１１から離反したときの片持ちバネ１７とスライド部材１１の間隔を、片持ちバネ１７が平坦な場合よりも大きくすることができる。これにより、片持ちバネ１７によるスライド部材１１の移動の阻止の解除が、カード１がスライド部材１１に当接する前に確実に解除されるようにすることができる。
【００４９】
なお、本実施形態では、片持ちバネ１７に形成された孔１７ａに、スライド部材１１に形成された突起部１２ｂが挿入されることによって片持ちバネ１７がスライド部材１１に引っ掛かるようになっているが、本発明における片持ちバネとスライド部材の形状の関係はそれに限定されるものではなく、片持ちバネがスライド部材に引っ掛かればどのような形状の関係であってもよい。
【００５０】
本実施形態は、移動阻止手段と移動許可手段を構成する片持ちバネとして、ケース７の構成部品である金属製カバー１０に一体に形成された片持ちバネ１７を備えた例であるが、本発明における片持ちバネはこのようにして設けられるものに限定されるものではなく、金属製カバー１０と別個の部材からなる片持ちバネが金属製カバー１０に取付けられたものであってもよい。また、ケース本体８に片持ちバネが設けられていてもよい。
【００５１】
本実施形態では、片持ちバネ１７の一部が突起部１７ｂになっているが、本発明における突起部はそれに限定されるものではなく、片持ちバネに固定された部材であってもよい。
【図面の簡単な説明】
【００５２】
【図１】本発明のカード用コネクタ装置の一実施形態の上面図である。
【図２】図１に示した実施形態に対応するカードを示す２面図であり、（ａ）が上面図、（ｂ）が右側面図である。
【図３】図１に示したケースに図２に示したカードを挿入している途中の状態の一例の上面図である。
【図４】図１に示したケースに図２に示したカードを挿入している途中の状態（図３とは異なる状態）を、金属製カバーを取り除いて示す上面図である。
【図５】ケースへのカードの装填が完了した状態を示す上面図である。
【図６】図１に示す実施形態に備えられた片持ちバネの拡大上面図である。
【図７】図６のVII−VII断面図である。
【図８−１】片持ちバネによるスライド部材の移動の阻止が解除される直前の状態を示す図７に対応する断面図である。
【図８−２】片持ちバネによるスライド部材の移動の阻止が解除された状態を示す図７に対応する断面図である。
【図９】図１に示したケースに図２に示したカードが前後逆向きの姿勢で挿入された状態であって、カードのそれ以上の挿入が阻止された状態を示す上面図である。
【図１０】図９に示した状態でのカードとスライド部材と片持ちバネとの位置関係を示す拡大上面図である。
【図１１】図１０のXI−XI断面図である。
【符号の説明】
【００５３】
１  カード
２  前端部
３  面取り部
４  後端部
４ａ  角
５  裏面
５ａ  溝
６  カード用コネクタ装置
７  ケース
８  ケース本体
８ａ  前壁部
９  コンタクト端子
１０  金属製カバー
１１  スライド部材（判定手段）
１２  突出部
１２ａ  前面
１２ｂ  突起部
１２ｃ  傾斜面
１３  付勢部材
１４  ピン（停止手段、停止解除手段）
１５  ハート型カム溝（停止手段、停止解除手段）
１６  ピン押さえ（停止手段、停止解除手段）
１７  片持ちバネ（移動阻止手段、移動許可手段）
１７ａ  孔
１７ｂ  突起部
【図１】
2008204703.tif 000003
【図２】
2008204703.tif 000004
【図３】
2008204703.tif 000005
【図４】
2008204703.tif 000006
【図５】
2008204703.tif 000007
【図６】
2008204703.tif 000008
【図７】
2008204703.tif 000009
【図８−１】
2008204703.tif 000010
【図８−２】
2008204703.tif 000011
【図９】
2008204703.tif 000012
【図１０】
2008204703.tif 000013
【図１１】
2008204703.tif 000014